(57)【要約】  【課題】スライド部材とベースハウジングとの間に組立誤差や成形誤差等があっても、スライド部材を正確に位置決めし、自動マウント機による基板実装時の精度を向上させる。  【解決手段】ベースハウジング１０に沿ってスライド可能なスライド部材２０と、リードピンがベースハウジング１０内の端子装着部まで挿入可能となる第１の位置と、挿入したリードピンを端子に接触させる第２の位置との間で、スライド部材２０を往復移動させるスライド手段と、スライド部材２０の移動を規制するストッパー装置と、を備える。偏心カム部材３１の回転に伴うスライド部材２０の移動範囲は、ストッパー装置で規制されるスライド部材２０の移動可能範囲より大きく設定され、カム部材３１を回転させてスライド部材２０を第１の位置に到達させた際に、ストッパー装置５０によるスライド部材２０の移動範囲の規制により、偏心カム部材３１に回転抵抗が生じる。【選択図】図１
2005347284.tif 000002
【特許請求の範囲】
【請求項１】
ピングリッドアレイパッケージのリードピンと電気的に接触可能な複数の端子が格子状に設けられたベースハウジングと、
このベースハウジングに沿ってスライド可能に配置され、前記リードピンを挿通可能な複数のスルーホールが格子状に設けられたスライド部材と、
前記リードピンが前記スルーホールを通して前記ベースハウジング内の端子装着部まで挿入可能となる第１の位置と前記端子装着部まで挿入したリードピンを前記端子に電気的に接触させる第２の位置との間でスライド部材を往復移動させるスライド手段と、
前記スライド部材を前記第１の位置と第２の位置との間においてのみ移動するように規制するスライド部材のストッパー装置と、を備え、
前記スライド手段は、前記ベースハウジング及びスライド部材の板面を貫通して装着した偏心カム部材を含み、この偏心カム部材の回転に伴うスライド部材の移動範囲は、前記ストッパー装置で規制されるスライド部材の移動可能範囲より大きく設定され、かつ偏心カム部材は、少なくとも第１の位置でスライド部材を位置決めし、
前記偏心カム部材を回転させて前記スライド部材を前記第１の位置に到達させた際に、前記ストッパー装置による前記スライド部材の移動範囲の規制により、偏心カム部材には、前記到達が判別可能な回転抵抗を生じさせることを特徴とする、ピングリッドアレイパッケージ用ソケット。
【請求項２】
前記ストッパー装置は、前記ベースハウジングに設けた凹部と、前記スライド部材に設けた凸部とを含み、前記凹部内に前記凸部が移動可能に収容され、その凸部の移動範囲が前記第１の位置と第２の位置との間に相当し、前記偏心カム部材の回転抵抗は、前記凸部が前記凹部の壁面に当接してから離間するまでの間において生じ、かつ、偏心カム部材が回転可能な強さに設定されている、請求項１に記載のピングリッドアレイパッケージ用ソケット。
【請求項３】
前記偏心カム部材は１回転以上回転可能であり、前記スライド部材の前記第１の位置と第２の位置との間のスライド移動の範囲が前記偏心カム部材の１８０度の回転角に相当し、前記スライド部材が前記第１の位置付近にあるときに、前記凸部が凹部の壁面に当接して偏心カム部材の回転抵抗が生じるように設定されている、請求項２に記載のピングリッドアレイパッケージ用ソケット。
【請求項４】
前記偏心カム部材の回転抵抗は、前記スライド部材が前記第２の位置付近にあるときにも生じるように設定されている、請求項１から３のいずれかに記載のピングリッドアレイパッケージ用ソケット。
【請求項５】
前記偏心カム部材の回転抵抗が生ずるときの偏心カム部材のカムの向きは、前記スライド部材のスライド移動方向と一致していることを特徴とする請求項３に記載のピングリッドアレイパッケージ用ソケット。
【発明の詳細な説明】
【技術分野】
【０００１】
本発明は、リードピンがグリッドアレイ状態で設けられた半導体集積回路などのパッケージと接続するピングリッドアレイパッケージ用ソケットに関する。
【背景技術】
【０００２】
従来、この種のソケットは、ピングリッドアレイ（ＰＧＡ）パッケージのリードピンと電気的に接続可能とした複数の端子を格子状に備えた板状のベースハウジングと、このベースハウジングの上側に配置された、前記リードピンを挿通可能とした複数のスルーホールを格子状に備えた板状のスライド部材とで構成されている。スライド部材の上側に更にカバー部材を備えたものもある。このカバー部材にもスルーホールが形成されている（例えば、特開平７−１４２１３４号公報、実用新案登録第２５３６４４号公報等参照）。
【０００３】
スライド部材は、ピングリッドアレイパッケージをソケットに接続する際に、リードピンをゼロ挿入力でソケット内に挿入できるようにするためのもので、前記リードピンが前記スルーホールを通してベースハウジング内の端子装着部までゼロ挿入力で挿入可能となる第１の位置と、端子装着部まで挿入されたリードピンと前記端子を電気的に接続（係合）させる第２の位置との間で、スライド部材をベースハウジングの板面に平行な面内でスライドできるように構成されている。スライド部材のスライドによって、リードピンがベースハウジング側の端子のコンタクト片に係合する位置まで移動したり、端子のコンタクト片がリードピンと係合する位置まで移動する構成とされている。
【０００４】
スライド部材をスライドさせるための手段は、ベースハウジングの後縁に沿ってカム軸を設置し、このカム軸をソケットの側方に沿って設けた操作ハンドルで回転できるように構成され、カム軸を介してスライド部材をベースハウジングに沿って押すように構成されている。カム軸を回転するための操作ハンドルは、ベースハウジングとほぼ平行の水平状態と、これに対して略直角の垂直状態の間を回動させるようにしている。
【０００５】
前述のように、従来のピングリッドアレイパッケージ用ソケットにおけるスライド部材のためのスライド手段は、ソケットの側方で水平状態と垂直状態との間で回動できるように設けられる操作ハンドルを用いて構成されていた。このために、操作ハンドルをソケットの外部に設置しなければならずソケットの小型化を阻害していたのみならず、操作ハンドルの回動のための空間をソケットの側方でソケットの上方まで広く確保しなければならないという問題点があった。
【０００６】
そこで、こうした問題を解決するために、本出願人は、ベースハウジング及びスライド部材の板面を貫通させて装着した偏心カム部材によってスライド手段を構成し、その偏心カム部材を回転させることで、スライド部材が第１の位置と第２の位置との間でスライド移動するピングリッドアレイパッケージ用ソケットを開発し、既に提案した（特願平１１−１２０９０７号）。
【特許文献１】特願平１１−１２０９０７号公報
【発明の開示】
【発明が解決しようとする課題】
【０００７】
しかしながら、この技術においても、次のような点でさ
らに解決すべき課題があった。
【０００８】
第１に、スライド部材の位置ずれの問題である。スライド部材は、そのスライド手段を
構成する偏心カム部材により第１の位置と第２の位置とを往復移動可能に構成されている。しかし、スライド可能に上下に組み合わせるスライド部材とベースハウジングとの間の組合せ誤差や成形誤差等により両者間に「がたつき」が生じた場合、スライド部材も不用意に位置ずれする問題が生じる。その結果、パッケージのリードピンをゼロ挿入力でソケットにセットできなくなる。
【０００９】
第２に、このようにスライド部材が不用意に位置ずれしていた場合、パッケージの全てのリードピンが全端子に確実に接続されるように、スライド部材を適正なスライド量とすることが困難になる問題である。
【００１０】
第３に、パッケージのリードピンをソケットに接続する作業は、通常、自動マウント機により行う。その際、上記第１及び第２の理由にり、自動マウント機による基板へのアッセンブリが困難になる問題である。
【００１１】
第４に、偏心カム部材の回転角度を１８０度として、往復回転させる構成とした場合、偏心カム部材を何れかへ回転させる際に、逆方向へ偏心カム部材を回すという誤操作により偏心カム部材をねじ切ってしまうことが生じる問題である。
【００１２】
よって、本発明の課題は、スライド部材とベースハウジングとの間に組立誤差や成形誤差等によるがたつきが生じている場合でも、スライド部材を第１の位置と第２の位置に正確に位置決めすることができ、これにより、自動マウント機による基板実装時の精度を向上させることができる技術を提供することをにある。
【００１３】
また、本発明の他の課題は、偏心カム部材の回転角度をフリーにして、偏心カム部材の回転抵抗により第１の位置と第２の位置とを判別する考え方を採用することで、可動部材のオーバーストロークや損傷等を防止することができるようにした技術を提供することにある。
【課題を解決するための手段】
【００１４】
前記課題を解決するため、本発明は以下の手段を採用した。本発明の第一の手段は、ピングリッドアレイパッケージのリードピンと電気的に接触可能な複数の端子が格子状に設けられたベースハウジングと、
このベースハウジングに沿ってスライド可能に配置され、前記リードピンを挿通可能な複数のスルーホールが格子状に設けられたスライド部材と、
前記リードピンが前記スルーホールを通して前記ベースハウジング内の端子装着部まで挿入可能となる第１の位置と前記端子装着部まで挿入したリードピンを前記端子に電気的に接触させる第２の位置との間でスライド部材を往復移動させるスライド手段と、
前記前記スライド部材を前記第１の位置と第２の位置との間においてのみ移動するように規制するスライド部材のストッパー装置と、を備え、
前記スライド手段は、前記ベースハウジング及びスライド部材の板面を貫通して装着した偏心カム部材を含み、この偏心カム部材の回転に伴うスライド部材の移動範囲は、前記ストッパー装置で規制されるスライド部材の移動可能範囲より大きく設定され（例えば、偏心カム部材３１を１８０度又は３６０度回転させたとき、スライドカバー２０のスライド量が限界に達し、その限界に達する直前で凸部５２が凹部５１の一側の壁面又は他側の壁面に当接する）、かつ偏心カム部材は、少なくとも第１の位置でスライド部材を位置決めし、
前記偏心カム部材を回転させて前記スライド部材を前記第１の位置に到達させた際に、前記ストッパー装置による前記スライド部材の移動範囲の規制により、偏心カム部材には、前記到達が判別可能な回転抵抗を生じさせる（例えば、回転抵抗の強さは、偏心カム部材３１を例えばドライバーを用いて手動操作で回転させたときに明確に判別することがで
きる程度の強さ）ことを特徴とする。
【００１５】
本発明では、スライド部材のスライド範囲を第１の位置と第２の位置との間においてのみ移動可能に規制し、かつ少なくとも第１の位置でスライド部材を位置決めする機能を有するストッパー装置を設けているので、スライド部材とベースハウジングとの間に組立誤差や成形誤差等によるがたつきが生じている場合でも、スライド部材を第１の位置と第２の位置に正確に位置決めすることができ、これにより、自動マウント機による基板実装時の精度を向上させることができる。
【００１６】
前記スライド手段が、前記ベースハウジング及びスライド部材の板面を貫通させて装着した偏心カム部材を含み、その偏心カム部材を回転させることで、前記スライド部材が前記第１の位置と第２の位置との間でスライドする。
【００１７】
このように、スライド手段が偏心カム部材により構成されているので、スライド部材を第１の位置と第２の位置との間でスライド移動させる操作は偏心カム部材を直接回転させる操作で行うことが可能になる。したがって、操作が直接的になるので、ストッパー装置と協力してスライド部材を目的位置に位置決めする操作も容易になる。
【００１８】
前記ストッパー装置は、前記ベースハウジングに設けた凹部と、前記スライド部材に設けた凸部とを含み、前記凹部内に前記凸部が移動可能に収容されていてその凸部の移動範囲が前記第１の位置と第２の位置との間に相当している構成とすることができる。
【００１９】
したがって、ベースハウジングに凹部を、スライド部材に凸部を設け、凹部に凸部を収容することで、ストッパー装置を簡易な構成で実現し、しかも、ベースハウジングとスライド部材の厚さ寸法に影響を与えないように構成することができる。また、凹部と凸部でストッパー装置を構成することで、ストッパー装置自体の構成を簡易にしかも精度良く構成することができる。
【００２０】
前記偏心カム部材が１回転以上回転可能であり、前記スライド部材の前記第１の位置と第２の位置との間のスライド移動の範囲が前記偏心カム部材の１８０度の回転角に相当し、前記スライド部材が前記第１の位置付近にあるときに前記凸部が凹部の壁面に当接して偏心カム部材の回転抵抗が生じるように設定することができる。
【００２１】
よって、偏心カム部材の回転角度をフリーにして、偏心カム部材の回転抵抗によって第１の位置を判別することができる。また、偏心カム部材の回転抵抗について、前記凸部が前記凹部の壁面に当接してから離間するまでの間において生じ、かつ、偏心カム部材が回転可能な強さに設定されている構成とすることができる。これにより、偏心カム部材やスライド部材等の可動部材のオーバーストロークや損傷等を未然に防止する。
【００２２】
前記偏心カム部材の回転抵抗に関し、前記スライド部材が前記第２の位置付近にあるときにも生じるように設定してもよい。これにより、第１の位置に加えて第２の位置も偏心カム部材の回転抵抗により判別することが可能になる。
また、前記偏心カム部材の回転抵抗が生ずるときの偏心カム部材のカムの向きは、前記スライド部材のスライド移動方向と一致させることが可能である。
【発明の効果】
【００２３】
本発明のピングリッドアレイパッケージ用ソケットによれば、特別に工夫したストッパー装置を設けることによって、スライド部材とベースハウジングとの間に組立誤差や成形誤差等によるがたつきが生じている場合でも、スライド部材を第１の位置と第２の位置に正確に位置決めすることができ、これにより、自動マウント機による基板実装時の精度を
向上させることができる。
【００２４】
また、偏心カム部材の回転角度をフリーにして、偏心カム部材の回転抵抗により第１の位置と第２の位置とを判別する考え方を採用することで、可動部材のオーバーストロークや損傷等を防止することができる。
【発明を実施するための最良の形態】
【００２５】
以下、図面に基づいて、本発明の実施の形態を説明する。図１及び図２に本発明の実施の形態に係るピングリッドアレイパッケージ用ソケット１の平面図及び側面図を示し、図３にピングリッドアレイパッケージの側面図を、図４にソケットの底面図を示した。また、図５にスライド手段部分の断面図を、図６に端子受入空洞部分の断面図を示した。
【００２６】
このピングリッドアレイパッケージ用ソケット１は、絶縁性樹脂を主体として形成された平面略矩形のベースハウジング１０と、そのベースハウジング１０の上面側に重ねられた絶縁性樹脂からなる平面略矩形のスライドカバー（スライド部材）２０と、スライドカバー２０をベースハウジング１０に対してスライド（一方向に往復移動）させるスライド手段３０と、スライドカバー２０のストッパー装置５０とを備える。
【００２７】
スライドカバー２０のスライド方向を図１において矢印Ａで示している。この矢印Ａ方向を以下の説明ではベースハウジング１０も含めて長さ方向と称し、その長さ方向と、スライドカバー２０の表面に平行な面において直交する矢印Ｂ方向を幅方向と称する。
【００２８】
ベースハウジング１０の幅方向両側及びスライドカバー２０の幅方向両側には、ベースハウジング１０に対してスライドカバー２０をその長さ方向にのみスライド可能に保持するための対策がとられている。即ち、ベースハウジング１０の幅方向両側に、ベースハウジング１０の長さ方向に延びる高さの低い側面部分１１が形成され、この両側面部分１１に長さ方向に間隔をおいて配置した係止突起１２が複数設けられている。
【００２９】
そして、スライドカバー２０の幅方向両側には下方へ延びる側板２１が設けられ、この両側板２１に、ベースハウジング１０の係止突起１２と係合する窓穴２２がスライドカバー２０の長さ方向に間隔をおいて複数設けられている。この窓穴２２はスライドカバー２０の長さ方向に延びている。これにより、スライドカバー２０はその長さ方向にのみ一定の範囲でスライド可能とされている。
【００３０】
スライドカバー２０には格子状に配置された多数のスルーホール２３が設けられている。これらのスルーホール２３には、ピングリッドアレイパッケージ（以下、ＰＧＡパッケージと称する）のリードピンＲ（図９参照）が挿通される。
【００３１】
ベースハウジング１０には、前記スルーホール２３に対応させて端子受け入れ空洞１３が格子状に形成されており、各端子受け入れ空洞１３内に端子４０（図６、図９参照）が装着されている。この端子４０については従来から公知の種々の形状のものを使用できるが、ここでは、図９の平面図で示すように、両側に位置するコンタクト片４１、４１と、端子固定用の係合片４２とを有する形状のものが用いられている。
【００３２】
なお、この端子４０には、プリント回路基板などの取付基板（図示せず）に対して表面半田付けができるように配慮したテイル４５も設けられている。このテイル４５は、ベースハウジング１０の下面から下方へ突出させている。
【００３３】
図５に示すように、ベースハウジング１０は、金属製枠部材２に絶縁性樹脂３がオーバーモールドされて図示のような形状に成形されて薄型化が図られている。また、スライド
カバー２０も金属板２４に絶縁性樹脂２５がオーバーモールドされて図示のような薄型化が図られている。
【００３４】
そして、この金属板２４に多数の開口２６が格子状に設けられ、この開口２６を通して前記スルーホール２３が格子状に設けられて、ピングリッドアレイパッケージＰのリードビンＲが層通できるように構成されている。
【００３５】
ベースハウジング１０とスライドカバー２０の長さ方向の一端側中央の山形に張り出した部分を貫通するようにして、スライド手段３０を構成する偏心カム部材３１が装着されている。この偏心カム部材３１の下部の回転軸３２には、ベースハウジング１０の底面側に設けた固定リング３３が固定され、これにより偏心カム部材３１が抜け止めされている。
【００３６】
固定リング３３はドーナツ状の平ワッシャーの形状とされ、ベースハウジング１０の底面側に形成された凹所３４内に収容されている。これにより、固定リング３３は凹所３４より外部には突出しないように配慮されている。
【００３７】
偏心カム部材３１は、図５に示すように、回転軸３２の上側にカム３５を偏心させて設けた構造のものである。カム３５の上面にはドライバーなどの回転操作用の工具を差し込むための操作溝３５ａが設けられている。また、スライドカバー２０の金属板２４の一側にはカム受け部材３６が固定され、このカム受け部材３６にカム３５が回転可能にはまりこむカム孔３６ａが設けられている。
【００３８】
なお、偏心カム部材３１を回転させてスライドカバー２０を矢印Ａ方向にのみスライドさせるためには、偏心カム部材３１の回転軸３２が若干移動する必要がある。そこで、図では特別に示していないが、回転軸３２を支持する金属製枠部材２の軸孔２ａは、平面視においてベースハウジング１０の幅方向（矢印Ｂ方向）に延びる長孔に形成してある。その結果、偏心カム部材３１は軸孔２ａに沿って矢印Ｂ方向に移動しつつ回転可能となり、その回転に伴ってスライドカバー２０がベースハウジング１０に対して矢印Ａ方向に往復移動する。
【００３９】
図６に端子受入空洞１３の部分を拡大して示した。この端子受入空洞１３は、平面略方形の空洞で、ベースハウジング１０の上面に開口している。端子受入空洞１３の底部には通過孔１３ａが形成され、端子４０をベースハウジング１０の上面側から装着する際に、テイル４５がこの通過孔１３ａを通ってベースハウジング１０の底面側に配置できるようにしている。
【００４０】
各端子受入空洞１３は、仕切り壁１４を対向する内壁から、互いに対向するように設けてあり、一側をコンタクト収容部１４ａ、他側を係合片収容部１４ｂに区画している。この端子受入空洞１３内に圧入して固定される端子４０は、薄い導電性金属板を打ち抜き、曲げ加工して形成したもので、ベース板４３に連続する前記テイル４５、コンタクト片４１、４１、係合片４２等を備えている。
【００４１】
図７及び図８はストッパー装置５０の部分を示す平面図及び断面図である。このストッパー装置５０は、スライドカバー２０のスライド範囲を規制しつつスライドカバー２０を所定の位置に位置決めする機能を有する構成としている。即ち、リードピンＲがスルーホール２３を通してベースハウジング１０内の端子装着部（図９参照）まで挿入可能となる第１の位置と、端子装着部まで挿入したリードピンＲを端子４０に電気的に接触させる第２の位置（図１５参照）との間においてのみスライドカバー２０を往復移動可能に規制する機能を有している。さらに、前記スライド手段３０と協力してそれら第１の位置と第２
の位置にスライド部材を位置決めする機能を有する。以下にこのストッパー装置５０について詳しく説明する。
【００４２】
このストッパー装置５０は、ベースハウジング１０に設けた平面長方形の凹部５１と、スライドカバー２０に設けた同じく平面長方形の凸部５２とを含む。凸部５２は、凹部５１内に移動可能に収容されていてその凸部５２の移動範囲が第１の位置と第２の位置との間に相当している。凹部５１はベースハウジング１０の長さ方向の一端側近くの表面に設けられていている。凹部５１の底面は金属製枠部材２の表面で形成され、一側の壁面５３及び他側の壁面５４は絶縁性樹脂３により形成されている。凸部５２の基部５５はカム受け部材３６と共通の部材により固定されている。
【００４３】
スライド手段３０を構成する偏心カム部材３１は回転フリーとなっているが、スライドカバー２０の第１の位置と第２の位置との間のスライド移動の範囲は偏心カム部材３１の１８０度の回転角に相当している。そして、スライドカバー２０が第１の位置又は第２の位置付近にあるときに凸部５２が凹部５１の一側の壁面５３又は他側の壁面５４に当接して偏心カム部材３１の回転抵抗が生じるように設定されている。
【００４４】
偏心カム部材３１の回転抵抗としては、凸部５２が凹部５１の一側の壁面５３又は他側の壁面５４に当接してから離間するまでの間において生じ、しかも、偏心カム部材３１が回転可能な強さに設定されている。即ち、この回転抵抗の強さは、偏心カム部材３１を例えばドライバーを用いて手動操作で回転させたときに明確に判別することができる程度の強さであり、しかも偏心カム部材３１を何回転させてもストッパー装置５０の機能が損なわれない程度の強さとすることが好ましい。
【００４５】
より具体的には、凹部５１、凸部５２、ベースハウジング１０、スライドカバー２０等の主体を構成する絶縁性樹脂の弾性を利用して回転抵抗を与える構成とすることができる。例えば凸部５２が凹部５１の一側の壁面５３に当接した状態で、それら凸部５２及び凹部５１を構成する樹脂が弾性変形することで、偏心カム部材３１に回転抵抗を与えつつ、偏心カム部材３１が１８０度以上及び３６０度以上回転することができるように設定される。
【００４６】
換言すれば、偏心カム部材３１を１８０度又は３６０度回転させたとき、スライドカバー２０のスライド量が限界に達し、その限界に達する直前で凸部５２が凹部５１の一側の壁面又は他側の壁面に当接することで回転抵抗を生じさせる。そして、偏心カム部材３１をさらに回転させることで、その回転抵抗を乗り越える設定とするのである。
【００４７】
このように設定すれば、凸部５２や凹部５１、あるいは偏心カム部材３１やスライドカバー２０等の可動部材の必要以上のオーバーストロークや塑性変形による損傷等を未然に防止することができる。勿論、このような設定においては、各部材の成形誤差や組合せによるがたつき、さらには嵌め合い交差等も初めから考慮される。
【００４８】
なお、図７において、符号６０はガイド機構を示している。このガイド機構６０は、ストッパー装置５０付近に設けられていて、スライドカバー２０のスライドをガイドするものである。このガイド機構６０は、ベースハウジング１０側に設けた平面長方形の凹所６１と、スライドカバー２０側に設けた平面略正方形の突出部６２とにより構成している。凹所６１の溝幅と突出部６２の幅はほぼ合致していて、スライドカバー２０の幅方向のがたつきを防止しつつ、スライドカバー２０をその長さ方向にスライド可能に案内する機能を有する。
【００４９】
このような構成のソケット１に、例えば半導体パッケージ等のＰＧＡパッケージＰを搭
載する場合には、まず、図７に示すように操作溝３５ａを利用して偏心カム部材３１を回転させ、偏心カム部材３１と共にスライドカバー２０を第１の位置であるオープン位置に位置させる。
【００５０】
このオープン位置は、図８においては凸部５２が凹部５１の一側の壁面５３に当接し、凸部５２や凹部５１を形成する樹脂どうしが僅かに弾性変形した状態にあるときである。したがって偏心カム部材３１には回転抵抗が生じている。この状態では、凸部５２が凹部５１の一側の壁面５３に樹脂どうしが互いに弾性変形した状態で当接しているため、スライドカバー２０はベースハウジング１０に対してがたつき無くしっかりと位置決めされる。その結果、スライドカバー２０の位置ずれ等は生じない。
【００５１】
次に、図８に示すように、ＰＧＡパッケージＰの各リードピンＲがスルーホール２３を挿通するように、そのＰＧＡパッケージＰをスライドカバー２０の表面に載せる。このとき、リードピンＲは図９に示すように端子４０への装着位置に位置決めされる。
【００５２】
次いで、偏心カム部材３１を矢印で示す方向に回転させる。図１０は偏心カム部材３１を９０度回転させた状態を示す平面図である。この状態では、凸部５２は凹部５１の中央に位置し、それに伴いリードピンＲも端子４０への接続の途中に位置している。
【００５３】
偏心カム部材３１を矢印で示す方向にさらに回転させて、第２の位置であるロック位置で停止させる。図１３は偏心カム部材３１を１８０度回転させた状態を示す平面図である。この状態では、凸部５２は凹部５１の他側の壁面５４に当接し、それに伴いリードピンＲもコンタクト片４１、４１を弾性変形させつつ端子４０への接続位置まで移動し、端子４０に対して電気的に接続される。また、この状態では、凸部５２が凹部５１の他側の壁面５４に樹脂どうしが互いに弾性変形した状態で当接するため、スライドカバー２０はベースハウジング１０に対してがたつき無くしっかりと位置決めされる。その結果、スライドカバー２０の位置ずれ等は生じない。
【００５４】
スライドカバー２０の位置ずれが生じない理由として、次のような作用も挙げることができる。偏心カム部材３１が１８０度又は３６０度回転した状態では、カム３５の部分が図８において左端又は右端に位置する状態となり、カム３５の向きとスライドカバー２０のスライド方向とが直線的に一致する。したがって、この状態では、何らかの理由でスライドカバー２０を戻す方向にスライドさせる力が作用しても、偏心カム部材３１を回転させる力としては作用しない。その結果、スライドカバー２０の位置ずれは生じない。
【００５５】
ＰＧＡパッケージＰをソケット１から外す必要がある場合には、偏心カム部材３１をさらに１８０度（合計３６０度）回転させてスライドカバー２０を第１の位置であるオープン位置に戻せば良い。すると、ＰＧＡパッケージＰの各リードピンＲは各端子４０から外れて図９に示す端子装着位置に復帰し、ＰＧＡパッケージＰの取り外しが可能になる。
【００５６】
ＰＧＡパッケージＰを再度装着する場合には、上述と同様に偏心カム部材３１を矢印方向に回転させて行う。したがって、偏心カム部材３１はこのように同一方向に１回転以上何回転でも回転させることができるため、偏心カム部材３１を誤ってねじ切ってしまうといった問題もなくなる。勿論、偏心カム部材３１はこのように回転フリーであるから、矢印方向だけでなく矢印と反対方向に回転させてＰＧＡパッケージＰを搭載することもできる。
【００５７】
本実施の形態では、スライドカバー２０のスライド範囲を第１の位置と第２の位置との間においてのみ移動可能に規制し、かつ第１の位置及び第２の位置でスライドカバー２０を位置決めする機能を有するストッパー装置５０を設けているので、スライドカバー２０
とベースハウジング１０との間に組立誤差や成形誤差等によるがたつきが生じている場合でも、スライドカバー２０を第１の位置と第２の位置に正確に位置決めすることができる。これにより、自動マウント機による基板実装時の精度を向上させることができる。
【００５８】
また、スライド手段３０が偏心カム部材３１により構成されているので、スライドカバー２０を第１の位置と第２の位置との間でスライド移動させる操作は偏心カム部材３１を直接回転させる操作で行うことが可能になる。したがって、操作が直接的になるので、ストッパー装置５０と協力してスライドカバー２０を目的位置に位置決めする操作も容易になる。
【００５９】
前記ベースハウジング１０に凹部５１を、スライドカバー２０に凸部５２を設け、凹部５１に凸部５２を収容することで、ストッパー装置５０を簡易な構成で実現し、しかも、ベースハウジング１０とスライドカバー２０の厚さ寸法に影響を与えないように構成することができる。また、このように凹部５１と凸部５２でストッパー装置５０を構成することで、ストッパー装置自体の構成を簡易にしかも精度良く構成することができる。
【００６０】
なお、上記実施の形態では、ストッパー装置５０を、偏心カム部材３１を主体とするスライド手段３０の近くに設けた例を示したが、ソケット１の側面部分等の他の離れた位置におけるベースハウジング１０とスライドカバー２０との間に設けてもよい。また、ストッパー装置５０の凹部５１、凸部５２の形状についても実施の形態に限定されることなく、平面正方形や多角形等の他の形状を採用することもできる。さらに、このようなストッパー装置は、必要に応じて一対あるいはそれ以上設けることもできる。
【００６１】
本実施の形態では、ストッパー装置は、第１の位置と第２の位置の両方で機能する構成としたが、スライドカバーの位置ずれ等を防止してリードピンをゼロ挿入力で挿入可能にする点に配慮した場合、少なくとも第１の位置で位置決め機能を有する構成とすることもできる。
【００６２】
また、スライドカバーに凹部を設けベースハウジングに凸部を設けてストッパー装置を構成するようにしてもよいが、特にスライドカバーの厚さの関係を考慮した場合、実施の形態ようにするのが好ましい。
【図面の簡単な説明】
【００６３】
【図１】本発明の実施の形態に係るピングリッドアレイパッケージ用ソケットの平面図。
【図２】同じくピングリッドアレイパッケージ用ソケットの側面図。
【図３】同じくピングリッドアレイパッケージ用ソケットの背面図。
【図４】同じくピングリッドアレイパッケージ用ソケットの底面図。
【図５】同じくピングリッドアレイパッケージ用ソケットのスライド手段部分の断面図。
【図６】同じくピングリッドアレイパッケージ用ソケットの端子受入空洞部分の断面図。
【図７】同じくピングリッドアレイパッケージ用ソケットのストッパー装置部分の平面図。
【図８】図７のＩ−Ｉ線に沿った断面図。
【図９】同じくピングリッドアレイパッケージ用ソケットの端子に対するリードピンの位置関係を示す平面図。
【図１０】同じくピングリッドアレイパッケージ用ソケットの動作説明用のストッパー装置部分の平面図。
【図１１】図１０のII−II線に沿った断面図。
【図１２】同じくピングリッドアレイパッケージ用ソケットの端子に対するリードピンの位置関係を示す平面図。
【図１３】同じくピングリッドアレイパッケージ用ソケットの動作説明用のストッパー装置部分の平面図。
【図１４】図１３のIII−III線に沿った断面図。
【図１５】同じくピングリッドアレイパッケージ用ソケットの端子に対するリードピンの位置関係を示す平面図。
【符号の説明】
【００６４】
１ ソケット
２ 金属製枠部材
３ 絶縁性樹脂
１０ ベースプレート
１１ 側面
１２ 係止突起
１３ 端子受入空洞
１４ 仕切り壁
１５ 端子受入空洞
２０ スライドカバー（スライド部材）
２１ 側板
２２ 窓孔
２３ スルーホール
２４ 金属板
２５ 絶縁性樹脂
２６ 開口
３０ スライド手段
３１ 偏心カム部材
３２ 回転軸
３３ 固定リング
３４ 凹所
３５ カム
３５ａ 操作溝
４０ 端子
４１ コンタクト片
４２ 係合片
４５ テイル
５０ ストッパー装置
５１ 凹部
５２ 凸部
６０ ガイド機構
【図１】
2005347284.tif 000003
【図２】
2005347284.tif 000004
【図３】
2005347284.tif 000005
【図４】
2005347284.tif 000006
【図５】
2005347284.tif 000007
【図６】
2005347284.tif 000008
【図７】
2005347284.tif 000009
【図８】
2005347284.tif 000010
【図９】
2005347284.tif 000011
【図１０】
2005347284.tif 000012
【図１１】
2005347284.tif 000013
【図１２】
2005347284.tif 000014
【図１３】
2005347284.tif 000015
【図１４】
2005347284.tif 000016
【図１５】
2005347284.tif 000017